(57)【要約】【課題】圧力緩和機能を有する小型のものを低コストの下に製造し易い逆止弁を得ること。【解決手段】圧力緩和機能を有する逆止弁１００を構成するにあたり、一次側と二次側とに連通する本流路２５と逆止弁座１３とが形成された弁外郭体１に逆止弁体３０を摺動自在に設け、該逆止弁体内には二次側から一次側への逃し流路３５と逃し弁体５０とを設け、逆止弁体は、第１の弾性部材４０により二次側から一次側に向かって付勢することで閉弁可能とし、逃し弁体は、第２の弾性部材６０により一次側から二次側に向かって付勢することで閉弁可能にする。【選択図】        図１
2010096298.tif 000002
【特許請求の範囲】
【請求項１】
一次側と二次側とに連通する本流路および逆止弁座が形成された弁外郭体と、
前記弁外郭体内に摺動自在に設けられ、二次側から一次側への逃し流路が内部に形成され、第１の弾性部材により二次側から一次側に向かって付勢されて前記逆止弁座に着座して閉弁する逆止弁体と、
前記逃し流路内に設けられ、第２の弾性部材により一次側から二次側に向かって付勢されて前記逃し流路を閉塞する逃し弁体と、
を備えたことを特徴とする逆止弁。
【請求項２】
給水管路により貯湯タンクに供給した低温水を熱源器で湯に沸き上げて前記貯湯タンクに貯留し、該貯湯タンクに貯留された湯を給湯管路により所望の給湯先に供給する貯湯タンクであって、
前記貯湯タンクに接続された管路の少なくとも１つには、請求項１に記載の逆止弁が設けられていることを特徴とする貯湯式給湯機。
【請求項３】
前記熱源器は、循環管路により前記貯湯タンク内の湯水を取り出して加熱し、該循環管路により前記貯湯タンクへ加熱した湯水を戻すヒートポンプユニットであることを特徴とする請求項２に記載の貯湯式給湯機。
【発明の詳細な説明】
【技術分野】
【０００１】
本発明は、二次側での異常な圧力上昇を抑制する圧力緩和機能を備えた逆止弁およびこれを用いた貯湯式給湯機に関するものである。
【背景技術】
【０００２】
水栓器具や給湯管、給水管等に用いられる逆止弁には、流体の逆流を防止する機能の他に、当該逆止弁の二次側でウォーターハンマーや流体の体積膨張等により異常昇圧が起きたときに、逆止弁自体や二次側の流路に配置されている流路部品等が破壊されたり故障を起こしたりするのを防止する圧力緩和機能を有するものがある。
【０００３】
例えば特許文献１には、流路内に配置した摺動弁座体を該摺動弁座体よりも一次側に配置したバネで二次側に押圧し、摺動弁座体内に配置した逆止弁体を二次側から一次側にバネで押圧して摺動弁座体内の弁座に着座可能にし、逆止弁体には逃し用弁座を設け、該逃し用弁座に着座する逃し用弁体を一次側から二次側にバネで押圧して、二次側の昇圧に伴って摺動弁座体が二次側から一次側に移動した後に逃し用弁体が逃し用弁座から離れるように構成することで上記の圧力緩和機能を付与した逆止弁が記載されている。
【０００４】
この逆止弁では、二次側の昇圧に伴って摺動弁座体が二次側から一次側に移動するので、当該逆止弁内での二次側の容積が増大して二次側での圧力上昇が緩和される。また、その後に二次側の圧力が更に増大したときには、逃し用弁体が開弁して二次側の水が一次側に放出されるので、二次側での異常昇圧が防止される。
【０００５】
【特許文献１】特開平５−１８７５６７号公報
【発明の開示】
【発明が解決しようとする課題】
【０００６】
しかしながら、特許文献１に記載された逆止弁では、逆止弁体を収容した摺動弁座体よりも一次側に配置したバネにより当該摺動弁座体を一次側から二次側に摺動させることができるよう、比較的広いスペースを内部に確保しなければならないため、その長さが長くなって当該逆止弁が大型化する。結果として、この逆止弁を水栓器具に組み込むと該水栓器具が大型化し易く、管路に配置すると管路長が長くなり易くなる。また、摺動弁座体を押圧するバネ、逆止弁体を押圧するバネ、および逃し用弁体を押圧するバネの計３つのバネを用いるので、その製造および組付け作業が煩雑化し、製造コストの低減を図り難い。
【０００７】
本発明は上記の事情に鑑みてなされたものであり、圧力緩和機能を有する小型のものを低コストの下に製造し易い逆止弁およびこれを用いた貯湯式給湯機を得ることを目的とする。
【課題を解決するための手段】
【０００８】
本発明の逆止弁は、一次側と二次側とに連通する本流路および逆止弁座が形成された弁外郭体と、弁外郭体内に摺動自在に設けられ、二次側から一次側への逃し流路が内部に形成され、第１の弾性部材により二次側から一次側に向かって付勢されて逆止弁座に着座して閉弁する逆止弁体と、逃し流路内に設けられ、第２の弾性部材により一次側から二次側に向かって付勢されて逃し流路を閉塞する逃し弁体とを備えたことを特徴とするものである。
【０００９】
また、本発明の給湯機は、給水管路により貯湯タンクに供給した低温水を熱源器で湯に沸き上げて貯湯タンクに貯留し、貯湯タンクに貯留された湯を給湯管路により所望の給湯先に供給する貯湯タンクであって、貯湯タンクに接続された管路の少なくとも１つには、上記本発明の逆止弁が設けられていることを特徴とするものである。
【発明の効果】
【００１０】
本発明の逆止弁では、逆止弁体内に逃し流路を形成すると共に該逃し流路内に逃し弁体を配置するので、逆止弁体よりも一次側および二次側のいずれにもバネ等の弾性部材を配置することなく圧力緩和機能を付与することが可能である。このため、逆止弁体を収容した摺動弁座体よりも一次側にバネを配置する特許文献１の逆止弁に比べ、小型化を図り易い。また、特許文献１の逆止弁に比べて部品点数が低減されるので、低コストの下に製造し易い。したがって、本発明によれば、圧力緩和機能を有する小型の逆止弁を低コストの下に製造し易くなる。
【発明を実施するための最良の形態】
【００１１】
以下、本発明の逆止弁および貯湯式給湯機それぞれの実施の形態について、図面を参照して詳細に説明する。なお、本発明は以下に説明する実施の形態に限定されるものではない。
【００１２】
実施の形態１．
図１は、本発明の逆止弁の一例を概略的に示す断面図であり、図２は、図１に示した逆止弁で一次側から二次側に流体が流れるときの各部材の位置を概略的に示す断面図であり、図３は、図１に示した逆止弁での圧力緩和時の状態を概略的に示す断面図である。これらの図に示す逆止弁１００は、圧力緩和機能を有するものであり、弁外郭体１、逆止弁体３０、第１の弾性部材４０、逃し弁体５０、および第２の弾性部材６０を備えている。
【００１３】
上記の弁外郭体１は、長手方向の両端が解放された筒状を呈する弁ケース１０と、該弁ケース１０内に固定された第１キャップ２０とを含み、弁ケース１０での一次側（流体が流入する側）に一次側配管が、また二次側（流体が流出する側）に二次側配管が接続される。弁ケース１０の内径は一次側開口部１１から二次側開口部１２にかけて３段階に分かれて拡大しており、内径が最も小さい一次側の領域での二次側端には、二次側に突出した環状の逆止弁座１３が設けられている。また、内径が二番目に小さい領域での二次側端およびその近傍は、第１キャップ２０を固定するためのキャップ固定部１４となっている。
【００１４】
第１キャップ２０は、弁ケース１０内に配置されて逆止弁体３０を摺動自在に保持する円板状の部材であり、上記のキャップ固定部１４に取り外しが可能な状態で嵌合している。当該第１キャップ２０の中央部には、弁ケース１０内で軸線方向Ｄxに延在する柱状のボス部２１が設けられており、このボス部２１には該ボス部２１をその長手方向に貫通する逆止弁体挿入孔２１ａが設けられている。また、ボス部２１の周囲には、一次側から二次側、二次側から一次側への流体の流通を可能にする少なくとも１つの流体流通孔２２が設けられている。流体流通孔２２は、弁ケース１０での逆止弁座１３と第１キャップ２０での二次側端との間に位置する本流路２５を構成する。この本流路２５は、逆止弁体３０が開弁しているとき、一次側と二次側とに連通する。
【００１５】
逆止弁体３０は、上記の逆止弁体挿入孔２１ａに摺動自在に挿入される柱状の軸部３１と、該軸部３１での一次側の領域に設けられた本体部３２と、該本体部３２に隣接して軸部３１での一次側端部に装着されたパッキン３３と、該パッキン３３の一次側で軸部３１の一次側端部に装着された第２キャップ３４と、軸部３１の内部に形成された逃し流路３５とを有しており、逃し流路３５の途中には狭窄部３５ａが設けられている。
【００１６】
上記の軸部３１での一次側端部には、パッキン３３が装着される外周溝３１ａが形成されており、該外周溝３１ａよりも一次側には第２キャップ３４が装着される溝状のキャップ係合部３１ｂが形成されている。また、軸部３１の内周面のうち、狭窄部３５ａでの一次側の側面となる領域は、逃し弁体５０が密着するシール面３１ｃとなっている。本体部３２は、軸部３１の外周に設けられて該軸部３１の径方向外側にフランジ状に張り出しており、当該本体部３２での二次側の面には、第１の弾性部材４０を係止するための円環溝３２ａが形成されている。円環溝３２ａの外径は前述のボス部２１の外径よりも大きい。
【００１７】
パッキン３３は円板状を呈し、前述した逆止弁座１３の全周に亘って該逆止弁座１３に密着可能な大きさを有している。第２キャップ３４は、上述したキャップ係合部３１ｂに係合可能な係合部３４ａと、第２バネ６０を外嵌可能なボス部３４ｂとを二次側に有し、軸部３１での一次側の端面３１ｄとの間に連通路３６を形成した状態で係合部３４ａをキャップ係合部３１ｂに係合させて、軸部３１に固定されている。逃し流路３５の狭窄部３５ａでの流路径は、例えば逆止弁１００を貯湯式給湯機に用いる場合には概ね０．５〜２ｍｍφに設定される。
【００１８】
上述した軸部３１、本体部３２、パッキン３３、第２キャップ３４、および逃し流路３５を有する逆止弁体３０は、第１キャップ２０の逆止弁体挿入孔２１ａに軸部３１を摺動自在に挿入することで弁外郭体１内に摺動自在に設けられ、第１の弾性部材４０により二次側から一次側に向かって押圧付勢される。
【００１９】
第１の弾性部材４０としては例えばコイルバネ等のバネが用いられ、その一端は逆止弁体３０に係止され、他端は第１キャップ２０での一次側に係止される。図示の例では、第１の弾性部材４０としてコイルバネが用いられており、当該コイルバネは、その一端がボス部２１に外嵌され、他端が円環溝３２ａに挿入されて、弁ケース１０内に配置されている。第１の弾性部材４０は、逆止弁体３０を二次側から一次側に向かって押圧付勢し、逆止弁体３０での二次側の受圧面積と二次側の圧力との積で表される力と当該第１の弾性部材４０の付勢力との合力が、逆止弁体３０での一次側の受圧面積と一次側の圧力との積で表される力よりも大きいときに、パッキン３３を逆止弁座１３に着座させて逆止弁体３０を閉弁させる。
【００２０】
逃し弁体５０は、例えばＥＰＤＭ（エチレン・プロピレン・ジエン共重合体）等のゴム材料や弾性材料により作製される。この逃し弁体５０は、一次側から逃し流路３５内に挿入され、第２の弾性部材６０により一次側から二次側に向かって押圧付勢されて上述のシール面３１ｃに一次側から密着する。
【００２１】
上記第２の弾性部材６０としては例えばコイルバネ等のバネが用いられ、その一端は逃し弁体５０での一次側に係止され、他端は第２キャップ３４の二次側に係止される。図示の例では、第２の弾性部材６０としてコイルバネが用いられており、当該コイルバネは、その一端が逃し弁体５０に外嵌され、他端が第２キャップ３４のボス部３４ｂに外嵌されて、逃し流路３５内に配置されている。第２の弾性部材６０は、逃し弁体５０を一次側から二次側に向かって押圧付勢し、逃し弁体５０での一次側の受圧面積と一次側の圧力との積で表される力と当該第２の弾性部材６０の付勢力との合力が、逃し弁体５０での二次側の受圧面積と二次側の圧力との積で表される力より大きいときに、逃し弁体５０を閉弁させる。
【００２２】
上述した各部材により構成された逆止弁１００は、例えば、給湯機内の配管や、給湯機や浴槽循環具等に用いられる水栓器具の内部、あるいは水栓器具に接続される給水管や給湯管等に組み込まれて使用される。
【００２３】
図１に示すように、一次側と二次側との差圧が０（ゼロ）のときには、逆止弁体３０での二次側の受圧面積と二次側の圧力との積で表される力と第１の弾性部材４０の付勢力との合力が、逆止弁体３０での一次側の受圧面積と一次側の圧力との積で表される力より大きくなるので、逆止弁体３０が閉弁する。このとき、逃し弁体５０での一次側の受圧面積と一次側の圧力との積で表される力と第２の弾性部材６０の付勢力との合力が、逃し弁体５０での二次側の受圧面積と二次側の圧力との積で表される力より大きくなるので、逃し弁体５０も閉弁する。したがって、二次側から一次側および一次側から二次側のいずれの向きにも流体が流れない。
【００２４】
図２に示すように、一次側の圧力が二次側の圧力よりも高くなって一次側と二次側とに差圧が生じ、逆止弁体３０での一次側の受圧面積と一次側の圧力との積で表される力が、逆止弁体３０での二次側の受圧面積と二次側の圧力との積で表される力と第１の弾性部材４０の付勢力との合力より大きくなると、逃し弁体５０は閉弁したままであるが、逆止弁体３０が第１の弾性部材４０の付勢力に抗して二次側に移動して開弁する。そのため、同図中に矢印Ａで示すように、流体が一次側から本流路２５に流れて二次側に流出する。すなわち、一次側開口部１１から弁ケース１０内に流れ込んだ流体が逆止弁体３０および第２キャップ３４の各々と弁ケース１０の内周面との間隙を流れて流体流通孔２２から二次側開口部１２に達し、ここから二次側に流出する。
【００２５】
逆止弁体３０は、二次側の受圧面積と二次側の圧力との積で表される力と第１の弾性部材４０の付勢力との合力が、逆止弁体３０での一次側の受圧面積と一次側の圧力との積で表される力よりも大きいとき、図１に示したように閉弁するが、二次側の圧力が一次側の圧力よりも更に高くなって逃し流路３５での二次側と一次側との差圧が所定の条件値を超えると、図３に示すように、逆止弁体３０が閉弁したまま逃し弁体５０が開弁する。すなわち、逃し弁体５０での二次側の受圧面積と二次側の圧力との積で表される力が、逃し弁体５０での一次側の受圧面積と一次側の圧力との積で表される力と第２の弾性部材６０の付勢力との合力より大きくなると、逆止弁体３０は閉弁したままであるが、逃し弁体５０が第２の弾性部材６０の付勢力に抗して一次側に移動して開弁する。そのため、同図中に矢印Ｂで示すように、二次側開口部１２から弁ケース１０内に流れ込んだ流体が逃し流路３５および連通路３６を流れて一次側開口部１１に達し、ここから一次側に流れる。
【００２６】
したがって、逆止弁１００では、二次側でウォーターハンマーや流体の体積膨張等により異常昇圧が起きたときに圧力逃し弁体５０が開弁するよう狭窄部３５ａでの流路断面積、第２の弾性部材６０の弾性特性、および取付け時の第２の弾性部材６０の縮み量を適宜選定することにより、二次側の異常圧力を一次側に解放させることができる。その結果として、逆止弁１００自体や該逆止弁１００の二次側の流路に設けられた流路部品等が上記の異常圧力により破壊されたり故障を起こしたりするのを防止することができる。逃し弁体５０が開弁する際の上述の条件値は、二次側での異常昇圧により逆止弁１００自体や該逆止弁１００の二次側の流路に設けられた流路部品等が破壊ないし故障を起こさないよう、逆止弁１００が設けられる管路や水栓器具の機械的特定等に応じて適宜選定される。
【００２７】
例えば、最大水圧が０．７５ＭＰａの上水道に接続された貯湯式給湯機での給湯管路や給水管路に逆止弁１００を設ける場合には、逃し流路３５での二次側の水圧が１．５ＭＰａ程度以上になって二次側と一次側の差圧が０．７５ＭＰａ程度になったときに逃し弁体５０が開弁するように、狭窄部３５ａでの流路断面積、第２の弾性部材６０の弾性特性、および取り付け時の第２の弾性部材６０の縮み量を選定することができる。
【００２８】
この逆止弁１００では、内部に逃し流路３５が形成された軸部３１、逃し流路３５内に配置された逃し弁体５０、軸部３１に装着された第２キャップ３４、および第２の弾性部材６０により、圧力緩和機構が構成される。逆止弁体３０での一次側の外側および二次側の外側のいずれにも弾性部材や摺動弁座体を設けなくてよいので、当該逆止弁１００では、逆止弁体を収容した摺動弁座体と該摺動弁座体よりも一次側に配置されて該摺動弁座体を二次側に付勢するバネとを用いて圧力緩和機構を構成する特許文献１の逆止弁に比べて小型化を図り易い。また、特許文献１の逆止弁に比べて部品点数が低減されるので、低コストの下に製造し易い。したがって、逆止弁１００では小型のものを低コストの下に製造し易い。また、生産に係るエネルギー消費量の低減および製造歩留りの向上も図り易い。
【００２９】
実施の形態２．
図４は、本発明の貯湯式給湯機の一例を示す概略図である。同図に示す貯湯式給湯機１５０は、貯湯タンク１１０と、上水道等の水源（図示せず）からの低温水を貯湯タンク１１０の下部から該貯湯タンク１１０に供給する給水管路１２０と、熱源器として機能するヒートポンプユニット１２５と、貯湯タンク１１０の下部からヒートポンプユニット１２５を経由して貯湯タンク１１０の上部に達する沸上循環管路１３０と、貯湯タンク１１０に貯留された湯を所定の給湯先に導く給湯管路１４０とを有している。
【００３０】
上記の貯湯タンク１１０は、給水管路１２０から供給される低温水を貯留すると共にヒートポンプユニット１２５で沸き上げられた湯を貯留するものであり、常に満水状態に保たれる。貯湯式給湯機１５０の運転時には、貯湯タンク１１０内に温度成層が形成される。給水管路１２０は、上述のように水源からの低温水を貯湯タンク１１０に供給する管路であり、貯湯タンク１１０の下部に一端が接続された第１給水管部１２０ａと、該第１給水管部１２０ａから分岐して後述の混合弁１４１に上記の低温水を導く第２給水管部１２０ｂとを有している。
【００３１】
ヒートポンプユニット１２５は、二酸化炭素等の冷媒を用いた冷凍サイクルシステムを備え、該冷凍サイクルシステム中の熱交換器により水を湯に沸き上げる。沸上循環管路１３０は、貯湯タンク１１０の下部から低温水を取水して該低温水を上記の熱交換器に導く往き管１３０ａと、上記の熱交換器で沸き上げられた湯を貯湯タンク１１０の上部から該貯湯タンク１１０に戻す戻り管１３０ｂと、図示を省略した循環ポンプとを有している。
【００３２】
給湯管路１４０は、貯湯タンク１１０に貯留された湯を所定の給湯先に導く管路であり、給湯管部１４０ａと、混合給湯管部１４０ｂと、混合弁１４１と、逆止弁１４３とを有している。給湯管部１４０ａは貯湯タンク１１０の上部と混合弁１４１とを繋ぎ、混合給湯管部１４０ｂは混合弁１４１と給湯先とを繋ぐ。逆止弁１４３は混合弁１４１の下流側に設けられており、当該逆止弁１４３としては本発明の逆止弁、例えば図１〜図３に示した逆止弁１００と同じ構成のものが用いられる。
【００３３】
貯湯タンク１１０の上部から給湯管部１４０ａに流入した湯は、使用者がリモートコントローラ（図示せず）により設定した給湯温度となるように制御部（図示せず）により開度調整された混合弁１４１で第２給水管部１２０ｂからの低温水と混合され、その後に混合給湯管部１４０ｂに流入して所定の給湯先に供給される。図示の例では、上記の給湯先として１つの蛇口１６０が示されている。なお、図４では図示を省略しているが、貯湯タンク１１０、混合弁１４１、および逆止弁１４３はユニットケースに収容されており、給水管路１２０、沸上循環管路１３０、および給湯管路１４０の各々は、一部の区間が上記のユニットケースに収容され、残りの区間が上記のユニットケースの外側に延在している。
【００３４】
このように構成された貯湯式給湯機１５０では、混合給湯管部１４０ｂに上述の逆止弁１４３が設けられているので、使用者が蛇口１６０を急激に開閉したときにウォーターハンマーが発生して逆止弁１４３の二次側で異常昇圧が起きても、あるいは蛇口１６０およびその近傍で水の凍結に伴う体積膨張が生じて逆止弁１４３の二次側で異常昇圧が起きても、逆止弁１４３の二次側で生じた異常圧力は当該逆止弁１４３の一次側（混合弁１４１側）に解放される。このため、逆止弁１４３自体や、混合給湯管路１４０ｂでの逆止弁１４３より下流の区間や、蛇口１６０が上記の異常圧力により破壊されたり故障を起こしたりすることが防止される。
【００３５】
また、逆止弁１４３は本発明の逆止弁に含まれるものであり、本発明の逆止弁は実施の形態１で説明したように小型を図り易く、低コストの下に製造し易いので、貯湯式給湯機１５０では、上述したユニットケースの小型を図り易いと共に製造コストを抑え易い。
【００３６】
以上、本発明の逆止弁および貯湯式給湯機について実施の形態を挙げて説明したが、前述のように、本発明は上述の形態に限定されるものではない。本発明の逆止弁は、逆止弁体内に逃し流路が設けられ、該逃し流路内に逃し弁体が配置され、逆止弁体を付勢する弾性部材および逃し弁体を付勢する弾性部材の各々が逆止弁体での一次側端と二次側端との間に配置されたものであれば基本的によく、その構成は適宜変更可能である。例えば、第２の弾性部材での一次側端を逆止弁体に固定するための固定部を逆止弁体の軸部の一次側端部に形成すれば、第２キャップを省略することも可能である。第２キャップを用いる場合には、第２キャップに一次側から二次側に亘る貫通孔を形成し、逃し流路と本流路とを連通させる連通路の一部または全部として上記の貫通孔を用いることもできる。
【００３７】
また、本発明の貯湯式給湯機は、貯湯タンクに接続された管路の少なくとも１つに本発明の逆止弁が設けられているものであればよく、逆止弁以外の構成は適宜選定可能である。例えば、水を湯に沸き上げる熱源器としては、ヒートポンプユニットに代えて、貯湯タンク内に配置されたヒータを用いることもできる。また、貯湯タンク内の湯を熱源として用いる熱交換器を設け、該熱交換器により浴槽の浴水を追い焚きしたり、温水式床暖房装置の湯水を再加熱したりする機能を付加することもできる。勿論、逆止弁を設ける箇所も適宜選定可能であり、沸上循環管路を構成する往き管や戻り管、給水管路での第１給水管部や第２給水管部、給湯管路での給湯管部等に逆止弁を設けてもよい。本発明の逆止弁および貯湯式給湯機については、上述した以外にも様々な変形、装飾、組み合わせ等が可能である。
【産業上の利用可能性】
【００３８】
本発明の逆止弁は、二次側から一次側への流体の逆流および二次側での異常昇圧の各々を抑制することが望まれる種々の用途の管路に設けることができ、本発明の貯湯式給湯機は、家庭用または業務用の給湯機として用いることができる。
【図面の簡単な説明】
【００３９】
【図１】本発明の逆止弁の一例を概略的に示す断面図である。
【図２】図１に示した逆止弁で一次側から二次側に流体が流れるときの各部材の位置を概略的に示す断面図である。
【図３】図１に示した逆止弁での圧力緩和時の状態を概略的に示す断面図である。
【図４】本発明の貯湯式給湯機の一例を示す概略図である。
【符号の説明】
【００４０】
１  弁外郭体
１０  弁ケース
１１  一次側開口部
１２  二次側開口部
１３  逆止弁座
１４  キャップ固定部
２０  第１キャップ
２１  ボス部
２１ａ  逆止弁体挿入孔
２２  流体流通孔
２５  本流路
３０  逆止弁体
３１  軸部
３２  本体部
３３  パッキン
３４  第２キャップ
３５  逃し流路
３５ａ  狭窄部
３６  連通路
４０  第１の弾性部材
５０  逃し弁体
６０  第２の弾性部材
１００  逆止弁
１１０  貯湯タンク
１２０  給水管路
１２５  ヒートポンプユニット
１３０  沸上循環管路
１４０  給湯管路
１４３  逆止弁
１５０  貯湯式給湯機
１６０  蛇口
【図１】
2010096298.tif 000003
【図２】
2010096298.tif 000004
【図３】
2010096298.tif 000005
【図４】
2010096298.tif 000006